(57)【要約】【課題】  嵩張らないで複数種類の糸を携行することが可能な糸巻きを提供する。【解決手段】  この糸巻きは、糸巻き大部２と糸巻き小部４とからなる。糸巻き大部４は、対向する２つの主表面１４ａ、１４ｂそれぞれに凹所１０ａ、１０ｂを有し、両主表面１４ａ、１４ｂの周縁部間に形成された溝１６ａ、１６ｂに糸が巻回される。糸巻き小部４は、各凹所１０ａ、１０ｂ内にほぼ収容されている。糸巻き小部４ａ、４ｂの外周縁部に形成された溝３２ａ、３２ｂに糸が巻回される。【選択図】        図１
2005304358.tif 000002
【特許請求の範囲】
【請求項１】
対向する２つの主表面それぞれに凹所を有し、上記両主表面の周縁部間に形成された溝に糸が巻回される糸巻き大部と、
前記各凹所にほぼ収容され、外周縁部に形成された溝に糸が巻回される糸巻き小部とを、
具備する糸巻き。
【請求項２】
請求項１記載の糸巻きにおいて、前記糸巻き大部では、前記溝が、前記両主表面を繋ぐ方向に沿って複数形成されている糸巻き。
【請求項３】
請求項２記載の糸巻きにおいて、前記複数の溝は、それらの溝底から前記糸巻き大部の中心までの距離がそれぞれ異なっている糸巻き。
【請求項４】
請求項１記載の糸巻きにおいて、前記各凹所には、前記両主表面側にそれぞれ突出する軸が形成され、これら軸に前記糸巻き小部がそれぞれ回転自在に支持されている糸巻き。
【請求項５】
請求項４記載の糸巻きにおいて、前記各糸巻き小部の溝は、それらの溝底から前記軸の中心までの距離が異なる糸巻き。
【請求項６】
請求項１記載の糸巻きにおいて、
前記糸巻き大部は、基板部から両側にほぼ垂直に突出した２つの第１短筒部を有し、各第１短筒部は、内部に前記凹所をそれぞれ備え、各第１短筒部の周縁部は前記基板部の周縁部よりも内側に位置し、各第１短筒部の突出端部側で各第１短筒部と各第１フランジ部が螺合し、各第１フランジ部は、その外周縁部が前記基板部の周縁部側に伸び、
前記糸巻き小部は、各第１短筒部の内部において前記基板部から両側にほぼ垂直に突出した２つの第２短筒部を有し、各第２短筒部の周縁部は各第１短筒部の内周縁部よりも内側に位置し、各第２短筒部の突出端部側で各第２短筒部と第２フランジ部が螺合し、各第２フランジ部は、その外周縁部が第１フランジ部の外周縁部よりも内側に位置する
糸巻き。
【請求項７】
請求項６記載の糸巻きにおいて、各第２短筒部の周縁部からそれらの中心までの距離が異なっている糸巻き。
【発明の詳細な説明】
【技術分野】
【０００１】
本発明は、魚釣り用に糸、例えば幹糸、ハリスを巻いておく糸巻きに関する。
【背景技術】
【０００２】
従来、魚釣り用の糸は、プラスチック製の糸巻きに巻かれて販売されることが多い。糸巻きとして同じものを複数個、巻き取り回転の中心軸線方向に順次連結することができるように構成されたものが、特許文献１に開示されている。
【０００３】
【特許文献１】特開２００２−１５３１９０号公報
【発明の開示】
【発明が解決しようとする課題】
【０００４】
魚釣り用の糸は、釣りを行っている途中で、異なる種類の糸と交換することがある。このような交換が予め想定される場合には、交換に必要な釣り糸をポケットなどに入れて携帯することが行われる。釣り糸は、その種類によって別々の糸巻きに巻かれているので、複数種類の糸を携行しようとすると、上述したような糸巻きでは、同じ複数の糸巻きを連結した状態で携行することになる。この連結状態では、糸巻きが全て同じ大きさであるので、嵩高となり、ポケットには収まりにくい。
【０００５】
本発明は、嵩張らないで複数種類の糸を携行することができる糸巻きを提供することを目的とする。
【課題を解決するための手段】
【０００６】
本発明による糸巻きは、糸巻き大部と糸巻き小部とからなる。糸巻き大部は、対向する２つの主表面それぞれに凹所を有し、上記両主表面の周縁部間に形成された溝に糸が巻回される。糸巻き小部は、前記各凹所内にほぼ収容されており、糸巻き小部の外周縁部に形成された溝に糸が巻回される。各糸巻き小部は、前記糸巻き大部の２つの主表面側にそれぞれ主表面を有することがある。この場合、各糸巻き小部の主表面が、前記糸巻き大部の主表面とほぼ一致することが望ましい。
【０００７】
このように構成された糸巻きでは、大径部内の２つの凹所にそれぞれ糸巻き小部がほぼ収容されているので、複数の糸が巻かれているにも拘わらず、この糸巻き全体がない。
【０００８】
前記糸巻き大部の溝は、前記両主表面を繋ぐ方向に沿って複数形成することができる。この場合、各溝にそれぞれ糸を巻くことができるので、更に多くの糸を嵩張らずに携行することができる。
【０００９】
さらに、前記複数の溝は、それらの溝底から前記糸巻き大部の中心までの距離を異ならせることもできる。このように構成すると、各溝に巻かれる糸の巻き径を異ならせることができ、種類の異なる糸を容易に見分けることができる。
【００１０】
前記各凹所には、前記両主表面側にそれぞれ突出する軸を形成することができる。この場合、各軸に糸巻き小部がそれぞれ回転自在に支持されている。このように構成すると、各糸巻き小部が軸の回りに回転するので、糸巻き小部からの糸の引き出しが容易に行える。
【００１１】
さらに、各糸巻き小部の溝の溝底から前記軸の中心までの距離を異ならせることができる。このように構成すると、各糸巻き小部に巻かれた糸の巻き径を異ならせることができるので、種類の異なる糸を容易に見分けることができる。
【００１２】
或いは、前記糸巻き大部は、基板部から両側にほぼ垂直に突出した２つの第１短筒部を有するものとできる。この場合、各第１短筒部は、内部に前記凹所をそれぞれ備えている。各第１短筒部の周縁部は前記基板部の周縁部よりも内側に位置し、各第１短筒部の突出端部側で各第１短筒部と各第１フランジ部が螺合し、各第１フランジ部は、その外周縁部が前記基板部の周縁部側に伸びている。基板部は、円板状とすることもできるし、角板状とすることもできる。前記糸巻き小部は、各第１短筒部の内部において前記基板部から両側にほぼ垂直に突出した２つの第２短筒部を有し、各第２短筒部の周縁部は各第１短筒部の内周縁部よりも内側に位置し、各第２短筒部の突出端部側で各第２短筒部と第２フランジ部が螺合し、各第２フランジ部は、その外周縁部が第１フランジ部の外周縁部よりも内側に位置位置している。
【００１３】
このように構成した場合、第１短筒部の周縁部と第１フランジ部と基板部とによって、周縁部を溝底とする溝が形成される。第１フランジ部の第１短筒部への螺合を外し、第１短筒部の外径にほぼ等しい内径を持つように予め巻いてある糸を周縁部に挿入し、再び第１フラン部を周縁部に螺合させることによって、簡単に糸の補充を行うことができる。第２短筒部と第２フランジ部と基板とにおいても同様にして、糸の交換を行うことができる。なお、第１及び第２円筒部の外径にほぼ等しい内径を持つボビン、例えば紙製のボビンに予め糸を巻いておいて、このボビンを第１及び第２の短筒部に挿通すれば、更に容易に糸の補充を行うことができる。
【００１４】
更に、各第２短筒部の周縁部からそれらの中心までの距離を異ならせることもできる。このように構成すると、各糸巻き小部に巻かれた糸の巻き径を異ならせることができるので、種類の異なる糸を容易に見分けることができる
【発明の効果】
【００１５】
以上のように、本発明によれば、複数の糸を嵩張らずに携行することが容易に行える。
【発明を実施するための最良の形態】
【００１６】
本発明の第１の実施形態の糸巻きは、図１に示すように糸巻き大部２と、糸巻き小部４ａ、４ｂとからなる。
【００１７】
糸巻き大部２は、図２（ａ）に示すように、基板部６を有している。基板部６は、例えば円板状に形成されている。この基板部６の外周から幾分中心側によった位置から、基板部６に対してほぼ垂直に両側に筒状部、例えば短円筒状部８ａ、８ｂが等量だけ突出している。これら短円筒状部８ａ、８ｂの内側が凹所１０ａ、１０ｂである。これら短円筒状部８ａ、８ｂの突出端部には、それぞれ環状のフランジ部１２ａ、１２ｂが基板部６と平行に基板部６の外周部まで伸びている。これらフランジ部１２ａ、１２ｂの外面側がそれぞれ主表面１４ａ、１４ｂである。このように糸巻き大部２が形成されているので、糸巻き大部２の周縁部には、主表面１４ａ、１４ｂを繋ぐ方向に沿って複数、例えば２個の溝１６ａ、１６ｂが形成されている。これら溝１６ａ、１６ｂに、図示していないが、釣り糸、例えばハリスが巻回される。これらハリスは、例えば異なる号数のものである。なお、基板部６には、図４に示すように、軽量化を図るために、複数の貫通孔１８が所定角度、例えば１２０度ごとに形成されている。図示していないが、フランジ部１２ａ、１２ｂには、それぞれハリスの先端部を係止する係止部が形成されている。
【００１８】
基板部６の中央には、基板部６にほぼ垂直にかつ両側に突出するように、軸２０が形成されている。この軸２０は中空で、その両突出端には、軸２０の基板板６との結合部よりも若干大径とされたストッパ２２ａ、２２ｂが形成され、これらストッパ２２ａ、２２ｂから内側部分は薄肉とされている。また、図４（ａ）に示すように、これらストッパ２２ａ、２２ｂには、これを軸２０の中心側に容易に撓ませるために所定角度、例えば４５度ごとに複数、例えば８個の切り込み溝２４ａ、２４ｂが形成されている。
【００１９】
糸巻き小部４ａ、４ｂは、図１、図３に示すように、凹所１０ａ、１０ｂ内に配置されている。図２（ｂ）、（ｃ）に示すように、糸巻き小部４ａ、４ｂは、凹所１０ａ、１０ｂ内に収容可能な筒状部、例えば短円筒状部２６ａ、２６ｂを有している。これら２６ａ、２６ｂの両端には、それぞれフランジ部２８ａ、２８ｂ、３０ａ、３０ｂが外方に向かって互いに平行に形成されている。これらフランジ部２８ａ、２８ｂ、３０ａ、３０ｂの外周縁部は、凹所１０ａ、１０ｂの内周面よりも内側に位置している。短円筒状部２６ａの外周面とフランジ部２８ａ、３０ａとによって釣り糸、例えばハリスが巻回される溝３２ａが形成されている。同じく短円筒状部２６ｂの外周面とフランジ部２８ｂ、３０ｂとによってハリスを巻回する溝３２ｂが形成されている。なお、フランジ部２８ａ、３０ａ間の距離、フランジ部２８ｂ、３０ｂ間の距離は、糸巻き小部４ａ、４ｂを凹所１０ａ、１０ｂ内に配置したとき、フランジ部２８ａ、３０ｂが凹所１０ａ、１０ｂからわずかに外方に突出するように選択されている。フランジ部２８ａ、３０ｂにも、図示していないが、糸係止部が形成されている。
【００２０】
短円筒状部２６ａ、２６ｂの内面におけるフランジ部２８ａ、３０ａ、２８ｂ、３０ｂを繋ぐ方向の中央には、図４（ｂ）に示すように例えば円板状の基板３４ａ、３４ｂが形成されている。基板３４ａの中央には、フランジ部３０ａ側に突出した回転軸３６ａが形成され、基板３４ｂの中央にはフランジ部２８ｂ側に突出した回転軸３６ｂが形成されている。これら回転軸３６ａ、３６ｂは、糸巻き大部２の軸２０の基板部６との結合部分の外径に等しい内径を有している。基板部３４ａ、３４ｂには、軽量化を図るために複数、例えば３個の貫通孔３８ａ、３８ｂが、所定角度、例えば１２０度ごとに形成されている。これら回転軸３６ａが凹所１０ａ内において軸２０に挿通され、回転軸３６ｂが凹所１０ｂ内において軸２０に挿通され、それぞれ軸２０の回りに回転自在とされている。この挿通を容易にするために、ストッパ２２ａ、２２ｂには、上述した切り込み溝２４ａ、２４ｂが形成されている。また、ストッパ２２ａ、２２ｂが形成されているので、糸巻き小部４ａ、４ｂが軸２０から抜けることはない。
【００２１】
この糸巻き大部２、糸巻き小部４ａ、４ｂは、金属によって形成することもできるし、合成樹脂によって形成することもできる。
【００２２】
この実施形態の糸巻きでは、糸巻き大部２に２種類のハリスを巻くことができ、糸巻き小部４ａ、４ｂにそれぞれ１種類、合計２種類のハリスを巻くことができる。従って、１つの糸巻きでありながら、これを携行することによって、合計４種類のハリスを同時に携行することができる。しかも、糸巻き小部４ａ、４ｂは、糸巻き大部２の凹所１０ａ、１０ｂ内に収容されているので嵩張ることがない。また、糸巻き小部４ａ、４ｂは軸２０に回転自在に支持されているので、ハリスの引き出し時に糸巻き小部４ａ、４ｂが回転し、ハリスの引き出しが容易に行える。また、糸巻き大部２の凹所１０ａ、１０ｂよりも幾分外方に突出している糸巻き小部４ａのフランジ２８ａまたは糸巻き小部４ｂのフランジ部３０ｂを手でつまんで、糸巻き大部２からハリスを引き出せば、糸巻き大部２が糸巻き小部４ａ、４ｂの回転軸３６ａ、３６ｂの回りに回転するので、ハリスの引き出しが容易に行える。
【００２３】
本発明の第２実施形態の糸巻きでは、図５に示すように、糸巻き大部５０は、例えば円板状の基板部５２を有している。
【００２４】
この基板部５２の周縁部よりも内側に、この基板部５２の中心と同心に、筒状体、例えば短円筒状部５４ａ、５４ｂが、基板部５２の両側にこれに垂直に同一距離だけ突出している。短円筒状部５４ａ、５４ｂは、同一の外径及び内径を有している。短円筒状部５４ａ、５４ｂの内部が凹所となる。これら短円筒状部５４ａ、５４ｂの突出端部側の内周面には、雌ネジ５６ａ、５６ｂが形成されている。
【００２５】
これら短円筒状部５４ａ、５４ｂには、これらの突出端部側から別の筒状部、例えば別の短円筒状部５８ａ、５８ｂが挿通されている。別の短円筒状部５８ａ、５８ｂの外径は、円筒状部５４ａ、５４ｂの内径に一致している。短円筒状部５８ａ、５８ｂの周縁部には雄ネジ６０ａ、６０ｂが形成され、これら雄ネジ６０ａ、６０ｂが雌ネジ５６ａ、５６ｂに螺合している。
【００２６】
短円筒状部５８ａ、５８ｂの突出端部には環状、例えば円形フランジ部６２ａ、６２ｂが形成されている。上述した螺合状態において、フランジ部６２ａ、６２ｂは、基板部５２の短円筒状部５４ａ、５４ｂからの突出長さと同じ長さだけ突出している。この螺合状態において、フランジ部６２ａ、短円筒状部５４ａの周縁部と基板部６の突出部、短円筒状部５４ａの周縁部、フランジ部６２ｂによって、フランジ部６２ａ、６２ｂの方向に、複数、例えば２つの溝６４ａ、６４ｂが形成されている。また、フランジ部６２ａ、６２ｂの外面が主表面となる。
【００２７】
この溝６４ａ、６４ｂには、ボビン６６に予め巻回された釣り糸、例えばハリス６８が、ボビン６６ごと挿入されている。この挿入は、短円筒状部５８ａ、５８ｂの螺合を外した状態で行われ、その後に短円筒状部５８ａ、５８ｂを螺合させる。なお、ボビン６６は、例えば紙製で、短円筒状部６６ａと２つのフランジ部６６ｂ、６６ｃを有している。短円筒状部６６ａの内径は、短円筒状部５４ａ、５４ｂの外径に等しく、フランジ部６６ａ、６６ｂの外面間の距離は、基板部５２の外面とフランジ部６２ｂ、６２ｃの内面との距離に等しく形成されている。
【００２８】
糸巻き小部６８ａ、６８ｂも、短円筒状部７０ａ、７０ｂを有している。これら短円筒状部７０ａ、７０ｂは、短円筒状部５４ａ、５４ｂよりも内側に、これら短円筒状部５４ａ、５４ｂと同心に、短円筒状部５４ａ、５４ｂと平行に基板５２から両側に突出している。但し、これら短円筒状部７０ａ、７０ｂの突出端部は、短円筒状部５４ａ、５４ｂの突出端部よりも外方、例えば螺合状態におけるフランジ部６２ａ、６２ｂの外面付近まで突出している。これら短円筒状部７０ａ、７０ｂの内周面に雌ネジ７２ａ、７２ｂが形成されている。
【００２９】
これら短円筒状部７０ａ、７０ｂには、これらの突出端部側から別の筒状部、例えば別の短円筒状部７４ａ、７４ｂが挿通されている。別の短円筒状部７４ａ、７４ｂの外径は、円筒状部７０ａ、７０ｂの内径に一致している。短円筒状部７４ａ、７４ｂの周縁部には雄ネジ７６ａ、７６ｂが形成され、これら雄ネジ７６ａ、７６ｂが雌ネジ７２ａ、７２ｂに螺合している。
【００３０】
短円筒状部７６ａ、７６ｂの突出端部は板状体、例えば円板体７７ａ、７７ｂによって閉塞され、さらに突出端部には環状、例えば円形フランジ部７８ａ、７８ｂが形成されている。上述した螺合状態において、フランジ部７８ａ、７８ｂは、短円筒状部５４ａ、５４ｂの内周面よりも幾分内側の位置まで伸延している。この螺合状態において、フランジ部７８ａ、短円筒状部７０ａの周縁部、基板部６、短円筒状部７０ｂの周縁部、フランジ部７８ｂによって、フランジ部７８ａ、７８ｂの方向に、２つの溝８０ａ、８０ｂが形成されている。なお、円板体７７ａ、７７ｂ、基板部５２の中心には、同一径の貫通孔７９ａ、７９ｂ、７９ｃが形成されている。
【００３１】
溝８０ａ、８０ｂには、ボビン８２に予め巻回された釣り糸、例えばハリス８４が、ボビン８２ごと挿入されている。この挿入は、短円筒状部７６ａ、７６ｂの螺合を外した状態で行われ、その後に短円筒状部７６ａ、７６ｂを螺合させる。なお、ボビン８２は、ボビン６６と同様に、例えば紙製で、短円筒状部８２ａと２つのフランジ部８８ｂ、８８ｃを有している。短円筒状部８２ａの内径は、短円筒状部７０ａ、７０ｂの外径に等しく、フランジ部８８ｂ、８８ｃの外面間の距離は、基板部５２の外面とフランジ部７８ａ、７８ｂの内面との距離に等しく形成されている。
【００３２】
図では、ハリス６８、８４の径を等しく描いたが、実際にはそれぞれ異なる径のハリスとすることができる。図示は省略したが、フランジ部６２ａ、６２ｂ、７８ａ、７８ｂには、糸係止部がそれぞれ形成されている。
【００３３】
この糸巻きでは、各ハリスはボビン６６、８２に巻回されているので、ハリスを引き出すと、ボビン６６、８２ごと溝６４ａ、６４ｂ、８０ａ、８０ｂ内で回転する。従って、ハリスを容易に引き出すことができる。無論、ボビン６６、８２を使用せずに、溝６４ａ、６４ｂ、８０ａ、８０ｂ内で回転可能に予め巻いたハリスを溝６４ａ、６４ｂ、８０ａ、８０ｂ内に収容した場合にも容易に引き出すことができる。しかも、ハリスを使い切った場合には、短円筒状部５８ａ、５８ｂ、７４ａ、７４ｂの螺合を解除し、ボビン６６、８２に巻回されたハリスを補充するか、予め巻いてあるハリスを補充するかの簡単な作業によって補充を行うことができる。無論、第１実施形態と同様に糸巻き大部５０に２つのハリスを、糸巻き小部６８ａ、６８ｂに２つのハリスを巻回することができるので、これらハリスをそれぞれ異なる種類とすることによって、１つの糸巻きによって複数種類のハリスを携行することができる。しかも、糸巻き小部は、糸巻き大部の凹所５６ａ、５６ｂ内に収容され、凹所５６ａ、５６ｂから殆ど突出していないので、複数種類のハリスを携行しながら、糸巻きを嵩張らないようにすることができる。
【００３４】
なお、第２実施形態では、糸巻き大部５０に形成した溝６４ａ、６４ｂは、短円筒状部５４ａ、５４ｂの外径を等しくして溝底径を等しくしたが、図６に示すように、短円筒状部５４ａ、５４ｂの外径を異ならせて、溝６４ａと溝６４ｂの溝底径を異ならせてもよい。同様に、糸巻き小部６８ａ、６８ｂの短円筒状部７０ａ、７０ｂの外径を異ならせて、溝８０ａ、８０ｂの溝底径を異ならせてもよい。このように構成することによって、どの溝にどのハリスを巻回してあるかを容易に認識することができる。第１の実施の形態においても同様に糸巻き大部２の短円筒状部８ａ、８ｂの外径を異ならせることによって、溝１６ａ、１６ｂの溝底径を異ならせることができるし、糸巻き小部４ａ、４ｂの短円筒状部２６ａ、２６ｂの外径を異ならせることによって溝３２ａ、３２ｂの溝底径を異ならせることもできる。
【００３５】
上記の２つの実施形態では、ハリスを糸巻きに巻回したが、これに限ったものではなく、釣り糸なら他のもの、例えば幹糸を巻回することもできるし、ハリスと幹糸とを巻回することもできる。また、各実施の形態では、糸巻き大部には２つの溝を形成したが、これに限ったものではなく、１つ或いは３つ以上の溝を形成することもできる。
【００３６】
第２の実施の形態では、糸巻き小部６８ａ、６８ｂは、糸巻き大部５０の１つの凹所に１つずつ設けたが、糸巻き大部５０の１つの凹所に同心状に複数の糸巻き小部を形成することもできる。例えば短円筒状部７０ａ、７０ｂの内側にさらに短円筒状部をそれぞれ設け、それの突出端部側の内周に雌ネジを設け、これに螺合する雄ネジを外周面に有する別の短円筒状部に基板部５２と共に溝を形成するフランジ部を設ければ、さらに多くの糸巻き小部を形成することができる。第２の実施形態では、短円筒状部５４ａ、５４ｂ、７０ａ、７０ｂの内周面に雌ネジを設け、短円筒状部５８ａ、５８ｂ、７４ａ、７４ｂの外周面に雄ネジを設けたが、逆に短円筒状部５４ａ、５４ｂ、７０ａ、７０ｂの外周面に雄ネジを形成し、短円筒状部５８ａ、５８ｂ、７４ａ、７４ｂの内周面を短円筒状部５４ａ、５４ｂ、７０ａ、７０ｂの外周面に一致させ、短円筒状部５８ａ、５８ｂ、７４ａ、７４ｂの内周面に雌ネジを形成してもよい。この場合、短円筒状部５８ａ、５８ｂ、７４ａ、７４ｂの突出端部は基板部５２に接触することが望ましい。
【図面の簡単な説明】
【００３７】
【図１】本発明の第１実施形態の糸巻きの縦断側面図である。
【図２】図１の糸巻きの糸巻き大部及び糸巻き小部の縦断側面図である。
【図３】図１の糸巻きの正面図である。
【図４】図１の糸巻きの糸巻き大部及び糸巻き小部の正面図である。
【図５】本発明の第２実施形態の糸巻きの分解状態の縦断側面図である。
【図６】図５の糸巻きの変形例の縦断側面図である。
【符号の説明】
【００３８】
２  糸巻き大部
４ａ、４ｂ  糸巻き小部
１０ａ  １０ｂ  凹所
【図１】
2005304358.tif 000003
【図２】
2005304358.tif 000004
【図３】
2005304358.tif 000005
【図４】
2005304358.tif 000006
【図５】
2005304358.tif 000007
【図６】
2005304358.tif 000008